(57)【要約】【課題】十分な強度を有するとともにさらなる強化も容易な筐体構造と、そのような筐体構造をフレームとして有する電子機器を提供する。【解決手段】天面部１１１を有する第１フレーム１１０と、天面部１２１を有し第１フレーム１１０に当接する位置で天面部１２１から折れ曲がった前面部１２４とを有する第２フレーム１２０と、第１フレーム１１０における上記の位置を含む天面部１１１と第２フレーム１２０の天面部１２１とに亙って搭載され、第２フレーム１２０に液晶ディスプレイを固定するヒンジ１３０とを備えた。【選択図】        図２
2009146195.tif 000002
【特許請求の範囲】
【請求項１】
天面部を有する第１部品と、
天面部と、前記第１部品に当接する位置で前記天面部から折れ曲がった折れ曲がり部とを有する第２部品と、
前記第１部品の前記位置を含む前記天面部と前記第２部品の前記天面部とに亙って搭載され、前記第２部品上部に所定部品を固定する固定用部品と、
を有することを特徴とする筐体構造。
【請求項２】
前記第１部品の前記天面部は、前記天面部の基準面から窪んだ凹部を有する、ことを特徴とする請求項１記載の筐体構造。
【請求項３】
前記第１部品は、前記天面部に対向する底面部を有し、前記底面部はその基準面から上側に突出した凸部を有する、ことを特徴とする請求項１または２記載の筐体構造。
【請求項４】
前記第２部品の前記天面部は、長手方向に広がる面を有し、
前記第２部品は、前記長手方向と交差する方向で且つ前記天面部の短手方向に広がる面と、前記第１部品に当接する前記位置に設けられた穴または窪みを有し、
前記第２部品の前記穴または前記窪みを通過して前記天面部の長手方向に延びる前記第２部品に選択的に取り付け可能な梁部品を有する、ことを特徴とする請求項１乃至３のいずれか１項に記載の筐体構造。
【請求項５】
前記第２部品は、前記第１部品の位置に設けられ、垂下し前記天面部を支える脚部を有し、前記第１部品は、前記第２部品の前記脚部に面接触する脚部を有する、ことを特徴とする請求項１乃至４のいずれか１項に記載の筐体構造。
【請求項６】
前記第１部品は、前記第２部品の前記折り曲げ部に当接する折り曲げ部を有する、ことを特徴とする請求項１乃至５のいずれか１項に記載の筐体構造。
【請求項７】
前記第２部品は、前記折れ曲がり部から垂下する面に連結した底面部を有し、
前記第２部品の前記底面部の下部に入力装置を着脱可能に収納する収納部を有する、ことを特徴とする請求項１乃至６のいずれか１項に記載の筐体構造。
【請求項８】
請求項１乃至７のいずれか１項に記載の筐体構造をフレームとし、
前記所定部品は、当該電子機器の主要機能を実現する部品である、ことを特徴とする電子機器。
【請求項９】
振動を生じる機械駆動型電子部品と、
前記機械駆動型電子部品の所定位置にガスケットを介して取り付けられ、前記第２部品が有する収納部に前記機械駆動型電子部品を搭載する取り付け部品と、を有する、ことを特徴とする請求項８記載の電子機器。
【請求項１０】
前記所定部品は、ディスプレイユニットを含む、ことを特徴とする請求項８または９に記載の電子機器。
【発明の詳細な説明】
【技術分野】
【０００１】
本発明は、パーソナルコンピュータ等の電子機器の筐体構造と、そのような筐体構造をフレームとして有する電子機器に関する。
【背景技術】
【０００２】
近年、デスクトップタイプのパーソナルコンピュータの中で、ディスプレイがコンピュータ本体と一体となったディスプレイ一体型パーソナルコンピュータが注目を集めている。
【０００３】
図８は、ディスプレイ一体型パーソナルコンピュータの一例を示す外観斜視図である。
【０００４】
この図８には、ディスプレイ一体型パーソナルコンピュータの一例として、液晶ディスプレイ２２を有する液晶一体型パーソナルコンピュータ２０が示されている。この液晶一体型パーソナルコンピュータ２０は、ＣＰＵ、メモリ、ハードディスク等を内蔵した本体部２１、所定のヒンジを介して図中の矢印Ｄが示す方向に回動できるように本体部２１に取り付けられた液晶ディスプレイ２２、この液晶一体型パーソナルコンピュータ２０にユーザの指示や文字情報を入力するためのキーボードであってユーザからの入力情報を本体部２１に無線で送信するワイヤレスタイプのキーボード２３を備えている。また、本体部２１には、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）に対してデータの書込みや読出しを行う後述のドライブが搭載されており、その前面が、開閉自在のドライブ用蓋２４で覆われている。
【０００５】
ここで、この液晶一体型パーソナルコンピュータ２０の本体部２１には、液晶ディスプレイ２２自体の重量が負荷として掛かる上に、ユーザが液晶ディスプレイ２２を回動させると、ユーザが加える力によって液晶ディスプレイ２２が本体部２１に押し付けられる。
【０００６】
図９は、液晶ディスプレイが回動される際に、その液晶ディスプレイが本体部に押し付けられる様子を示す図である。
【０００７】
液晶一体型パーソナルコンピュータ２０では、本体部２１の下側に、図８に示すキーボード２３を収納するための空間が設けられている。そのため、液晶ディスプレイ２２自体の重量やユーザによって加えられる力によって、図中の矢印Ｆに示す方向に、本体部２１に力が加えられると、図中に点線で示すように、本体部２１が、キーボード２３を収納するための空間側に撓んでしまうおそれがある。このような撓みは製品の外観を損なうばかりでなく、例えば組み立て中の試験的な液晶ディスプレイ２２の回動によって撓みが生じた場合には組立て精度が落ちてしまい問題である。
【０００８】
そこで、このような液晶一体型パーソナルコンピュータでは、本体部において、図９に示すような力に耐え得る強化された筐体構造が求められている。
【０００９】
ここで、一般的なデスクトップタイプのパーソナルコンピュータでも、本体装置の上にＣＲＴ（Ｃａｔｈｏｄｅ  Ｒａｙ  Ｔｕｂｅ）ディスプレイを載せることがあり、本体装置に力が加えられることが想定されるため、本体装置についての強化された筐体構造が提案されている。例えば、絞り曲げ加工等による凹凸構造によって強化された筐体構造（例えば、特許文献１参照）や、リブ構造等を有する追加フレームを搭載した筐体構造（例えば、特許文献２参照）が提案されている。
【特許文献１】特開２００２−９１６１８号公報
【特許文献２】特開２００６−９２４５６号公報
【発明の開示】
【発明が解決しようとする課題】
【００１０】
ここで、液晶一体型パーソナルコンピュータの分野では、近年、液晶ディスプレイの大型化が進んでおり、筐体構造に加えられる負荷が増加する傾向にある。ここで、上記の特許文献に開示されているような筐体構造では、筐体構造に加えられる負荷が増加する場合には、その都度、筐体構造を根本的に作り直さなければならない可能性が高い。そのため、将来的にこのような負荷の増加が見込まれる液晶一体型パーソナルコンピュータに、上記のような筐体構造を適用することには問題があり、十分な強度を有するとともにさらなる強化も容易な筐体構造が望まれている。
【００１１】
尚、ここまで、液晶一体型パーソナルコンピュータを例に挙げて、筐体構造の強化における問題について説明したが、このような問題は液晶一体型パーソナルコンピュータに限るものではない。このような問題は、液晶ディスプレイ以外のディスプレイを有するディスプレイ一体型パーソナルコンピュータにも共通に生じ得る問題であり、さらに言えば、ディスプレイのような重量物が搭載される電子機器であれば共通に生じ得る問題である。
【００１２】
本発明は、上記事情に鑑み、十分な強度を有するとともにさらなる強化も容易な筐体構造と、そのような筐体構造をフレームとして有する電子機器を提供することを目的とする。
【課題を解決するための手段】
【００１３】
上記目的を達成する筐体構造の基本形態は、
天面部を有する第１部品と、
天面部と、上記第１部品に当接する位置で上記天面部から折れ曲がった折れ曲がり部とを有する第２部品と、
上記第１部品の上記位置を含む上記天面部と上記第２部品の上記天面部とに亙って搭載され、上記第２部品上部に所定部品を固定する固定用部品と、
を有することを特徴とする。
【００１４】
この筐体構造の基本形態によれば、上記所定部品の重量やその部品に加えられる力等の負荷は、上記固定用部品を介して、上記第１部品と上記第２部品とが当接する位置に掛かることとなる。このとき、上記第２部品には、上記第１部品に当接する位置に上記折れ曲がり部を有している。この折れ曲がり部は、上記のような負荷に対して大きな強度を有するので、この基本形態は、上記のような負荷に対して十分に強化された構造となっている。また、この基本形態によれば、筐体構造が２つの部品で構成されていることから、将来、筐体構造のさらなる強化が必要となったときには、上記第１部品を、上記第２部品に当接する位置に折れ曲がり部を有する第１部品とすること等により、２つの部品で構成されるという基本的な思想を変えることなく容易に強化することができる。つまり、この基本形態によれば、十分な強度を有するとともにさらなる強化も容易である。
【００１５】
また、上記の筐体構造の基本形態に対し、
「上記第１部品の上記天面部は、上記天面部の基準面から窪んだ凹部を有する」という応用形態は好適である。
【００１６】
この好適な応用形態によれば、上記凹部が上記第１部品の強度を高めることから、上記第２部品の折れ曲がり部と相俟って、一層強化された筐体構造を得ることができる。
【００１７】
また、上記の筐体構造の基本形態および応用形態に対し、
「上記第１部品は、上記天面部に対向する底面部を有し、上記底面部はその基準面から上側に突出した凸部を有する」という応用形態は好適である。
【００１８】
この好適な応用形態によれば、上記凸部が上記第１部品の強度を高めることから、上記第２部品の折れ曲がり部等と相俟って、一層強化された筐体構造を得ることができる。
【００１９】
また、上記の筐体構造の基本形態および各応用形態に対し、
「上記第２部品の上記天面部は、長手方向に広がる面を有し、
上記第２部品は、上記長手方向と交差する方向で且つ上記天面部の短手方向に広がる面と、上記第１部品に当接する上記位置に設けられた穴または窪みを有し、
上記第２部品の上記穴または上記窪みを通過して上記天面部の長手方向に延びる上記第２部品に選択的に取り付け可能な梁部品を有する」という応用形態は好適である。
【００２０】
この好適な応用形態によれば、筐体構造を、上記第２部品に上記梁部品を取付けることで強化することができるので、さらなる強化が一層容易となる。
【００２１】
また、上記の筐体構造の基本形態および各応用形態に対し、
「上記第２部品は、上記第１部品の位置に設けられ、垂下し上記天面部を支える脚部を有し、上記第１部品は、上記第２部品の上記脚部に面接触する脚部を有する」という応用形態は好適である。
【００２２】
この好適な応用形態によれば、上記第１部品の脚部と上記第２部品の脚部とが互いに重ね合わされた、強度が高い脚部を有する筐体構造を得ることができる。
【００２３】
また、上記の筐体構造の基本形態および各応用形態に対し、
「上記第１部品は、上記第２部品の上記折り曲げ部に当接する折り曲げ部を有する」という応用形態は好適である。
【００２４】
この好適な応用形態によれば、上記第１部品の折り曲げ部も、上記所定部品の重量やその部品に加えられる力等の負荷に対して大きな強度を有するので、上記第２部品の折れ曲がり部と相俟って、一層強化された筐体構造を得ることができる。
【００２５】
また、上記の筐体構造の基本形態および各応用形態に対し、
「上記第２部品は、上記折れ曲がり部から垂下する面に連結した底面部を有し、
上記第２部品の上記底面部の下部に入力装置を着脱可能に収納する収納部を有する」という応用形態は好適である。
【００２６】
この好適な応用形態によれば、上記第２部品の折れ曲がり部等によって筐体構造の強化を図りつつ、上記収納部を有する筐体構造を実現することができる。
【００２７】
また、上記脚部を有するタイプの応用形態に対し、
「上記第２部品の上記脚部は、上記第２部品の上記天面部の長手方向の両端部に有する」という応用形態は好適である。
【００２８】
この好適な応用形態によれば、例えば折り曲げ加工等の簡単な加工方法により、上記第２部品の上記天面部と上記第２部品の上記脚部とを一体的に成形することができる。
【００２９】
また、上記目的を達成する電子機器の基本形態は、
上記基本形態および各応用形態の筐体構造をフレームとし、
上記所定部品は、この電子機器の主要機能を実現する部品である、ことを特徴とする。
【００３０】
この電子機器の基本形態によれば、上記フレームが、十分な強度を有しているとともに、そのフレームに対するさらなる強化が容易である。
【００３１】
また、上記の電子機器の基本形態に対し、
「振動を生じる機械駆動型電子部品と、
上記機械駆動型電子部品の所定位置にガスケットを介して取り付けられ、上記第２部品が有する収納部に上記機械駆動型電子部品を搭載する取り付け部品と、を有する」という応用形態は好適である。
【００３２】
この好適な応用形態によれば、例えば、パーソナルコンピュータに搭載されるＤＶＤ用のドライブ等の機械駆動型電子部品が発する振動を、上記ガスケットによって吸収することができる。
【００３３】
また、上記の電子機器の基本形態および応用形態に対し、
「上記所定部品は、ディスプレイユニットを含む」という応用形態は好適である。
【００３４】
この好適な応用形態によれば、例えばディスプレイユニットとパーソナルコンピュータの本体部とが一体となったディスプレイ一体型パーソナルコンピュータ等の電子機器について、上記の好適なフレームを有するものを簡単に得ることができる。
【００３５】
また、上記の電子機器の基本形態および各応用形態に対し、
「上記第２部品は、所定の開口部を有し、
上記第１部品は、上記第２部品の上記開口部と対向する位置に設けられた開口部を有し、
上記第１部品の上記開口部及び上記第２部品の上記開口部から構成される電子部品用収容部を有する」という応用形態は好適である。
【００３６】
この好適な応用形態によれば、上記の好適なフレームであってさらに上記電子部品用収容部を有するフレームを備えた電子機器を簡単に得ることができる。
【発明の効果】
【００３７】
以上、説明したように、筐体構造および電子機器の上記基本形態によれば、十分な強化が図られている上に、さらなる強化を容易に行うことができる。以下、具体的な効果について列挙する。
【００３８】
１．本発明の採用により十分な強度を事前に確保できるため、同シリーズにおいて重量の増した大型ディスプレイ等を仕様変更等で搭載する際にはフレームの金型を流用できる。
【００３９】
２．上記１）により、設計工数を大幅に削減できる。
【００４０】
３．上記１）により、対費用効果を大幅に見込める。
【００４１】
４．従来の強度確保の手段に比べ、寸法的な増大を極力抑えることができるため、製品の小型化あるいは高密度化に効果を発揮できる。
【発明を実施するための最良の形態】
【００４２】
基本形態および応用形態について説明した筐体構造および電子機器に対する具体的な実施形態を、以下図面を参照して説明する。
【００４３】
図１は、電子機器の具体的な実施形態である液晶一体型パーソナルコンピュータを示す外観斜視図である。
【００４４】
この図１に示す液晶一体型パーソナルコンピュータ１０は、ＣＰＵ、メモリ、ハードディスク等を内蔵した本体部１１、後述のヒンジを介して図中の矢印Ａが示す方向に回動できるように本体部１１に取り付けられた液晶ディスプレイ１２、この液晶一体型パーソナルコンピュータ１０にユーザの指示や文字情報を入力するためのキーボードであってユーザからの入力情報を本体部１１に無線で送信するワイヤレスタイプのキーボード１３を備えている。本実施形態では、このキーボード１３は、本体部１１の下側に設けられた収納スペースに収納される。また、本体部１１には、ＣＤやＤＶＤに対してデータの書込みや読出しを行う後述のドライブが搭載されており、その前面が、開閉自在のドライブ用蓋１４で覆われている。液晶ディスプレイ１２は、上述した電子機器の応用形態におけるディスプレイユニットの一例に相当する。
【００４５】
以下、この液晶一体型パーソナルコンピュータ１０について、この液晶一体型パーソナルコンピュータ１０のフレームの構造に注目して説明する。
【００４６】
図２は、図１に示す液晶一体型パーソナルコンピュータを、この液晶一体型パーソナルコンピュータから液晶ディスプレイおよび外板を取り去りフレームが見える状態で示す図である。
【００４７】
この図２には、図１に示す液晶一体型パーソナルコンピュータ１０のフレーム１００が示されている。このフレーム１００は、本体部１１を構成する第１フレーム１１０および第２フレーム１２０と、図１に示す液晶ディスプレイ１２を回動自在に第２フレーム１２０に取付けるヒンジ１３０とで構成される。また、この図２では、このフレーム１００に搭載されたドライブ１４０が、図１でに示すドライブ用蓋１４を取り去った状態で示されている。このドライブ１４０は、上述した電子機器の応用形態における機械駆動型電子部品の一例に相当する。
【００４８】
ここで、この図２に示すフレーム１００が、筐体構造の一実施形態に相当する。また、第１フレーム１１０、第２フレーム１２０、およびヒンジ１３０は、それぞれ上述した筐体構造の基本形態における第１部品、第２部品、および固定用部品の各一例に相当する。
【００４９】
第１フレーム１１０は、図１に示す液晶ディスプレイ１２側の壁である天面部１１１、この天面部１１１に対向する底面部１１２、天面部１１１と底面部１１２とを繋ぐ前面部１１３、および、図中の左右両側に設けられた脚部１１４を備えている。ここで、上記の天面部１１１は、上述した筐体構造の基本形態において第１部品が有する天面部の一例に相当し、底面部１１２は、上述した筐体構造の応用形態において第１部品が有する底面部の一例に相当し、脚部１１４は、上述した筐体構造の応用形態において第１部品が有する脚部の一例に相当する。
【００５０】
図３は、第１フレームを示す外観斜視図である。
【００５１】
この図３に示すように、第１フレーム１１０の天面部１１１には、底面部１１２に向かって窪み、長手方向に延びる凹部１１１ａが絞り曲げ加工によって形成されており、底面部１１２には、天面部１１１に向かって突出し、長手方向に延びる凸部１１２ａが絞り曲げ加工によって形成されている。また、前面部１１３には、図２に示すドライブ１４０等が取付時に挿入される２つの開口１１３ａが設けられている。さらに、本実施形態では、第１フレーム１１０には、天面部１１１における前面部１１３側の縁とは反対側の縁が折り曲げられて形成された折り曲げ部１１５が備えられている。ここで、上記の凹部１１１ａは、上述した筐体構造の応用形態において第１部品が有する凹部の一例に相当し、凸部１１２ａは、上述した筐体構造の応用形態において第１部品が有する凸部の一例に相当し、開口１１３ａは、上述した筐体構造の応用形態において第１部品が有する開口部の一例に相当し、折り曲げ部１１５は、上述した筐体構造の応用形態において第１部品が有する折り曲げ部の一例に相当する。
【００５２】
以上で、図３を参照した第１フレーム１１０についての説明を終了し、再び図２に戻って、液晶一体型パーソナルコンピュータ１０のフレームの構造について説明を続ける。
【００５３】
図２に示す第２フレーム１２０は、図１に示す液晶ディスプレイ１２側の壁である天面部１２１、この天面部１２１における図中の左右両側に設けられた側面部１２２、および、これら左右両側の側面部１２２それぞれから上記の第１フレーム１１０に向かって伸びる平板状の脚部１２３を備えている。本実施形態では、この第２フレーム１２０における脚部１２３と上記の第１フレーム１１０における脚部１１４とは互いに面接触している。また、第２フレーム１２０には、図中の拡大図に示すように、天面部１２１における第１フレーム１１０側の縁が折り曲げられて形成された前面部１２４が備えられている。本実施形態では、この前面部１２４と、上記の第１フレーム１１０の折り曲げ部１１５とが互いに接触している。ここで、上記の天面部１２１は、上述した筐体構造の基本形態において第２部品が有する天面部の一例に相当し、脚部１１４は、上述した筐体構造の応用形態において第２部品が有する脚部の一例に相当し、前面部１２４が、上述した筐体構造の基本形態において第２部品が有する折り曲げ部の一例に相当する。
【００５４】
さらに、第２フレーム１２０では、前面部１２４に、図２に示すドライブ１４０等が取付時に挿入される２つの開口１２４ａが設けられている。本実施形態では、この第２フレーム１２０における２つの開口１２４ａと、上記の第１フレーム１１０における２つの開口１１３ａとが互いに対向している。そして、第１フレーム１１０の開口１１３ａ、第２フレーム１２０の開口１２４ａ、および、第２フレーム１２０内の所定の空間によってドライブ１４０等が収容される収納部１５０が２つ構成されている。図２では、２つの収納部１５０のうち図中右側の収納部１５０にドライブ１４０が収納されている。ここで、第２フレーム１２０の開口１２４ａは、上述した筐体構造の応用形態において第２部品が有する開口部の一例に相当し、上記の収納部１５０は、上述した筐体構造の応用形態における電子部品収容部の一例に相当する。
【００５５】
ヒンジ１３０は、第２フレーム１２０の天面部１２１にネジで固定されるベース部１３１と、図１に示す液晶ディスプレイ１２を構成する不図示の金属フレームにネジで固定されるアーム部１３２と、アーム部１３２をベース部１３１に回動自在に固定する回転軸１３３とを備えている。
【００５６】
ここで、フレーム１００では、ベース部１３１が、第２フレーム１２０の天面部１２１における上記の前面部１２４の近傍に固定されており、さらに、このベース部１３１の一部が、第１フレーム１１０の天面部１１１における上記の折り曲げ部１１５の近傍の上に載っている。そのため、液晶ディスプレイ１２やヒンジ１３０の重量や、ユーザが液晶ディスプレイ１２を回動させるときに生じる液晶ディスプレイ１２を本体部１１に押し付ける力等の負荷は、ヒンジ１３０を介して、第２フレーム１２０と第１フレーム１１０との境界に加わることとなる。このとき、この境界には、折り曲げ加工によって形成された第２フレーム１２０の前面部１２４が存在する。この第２フレーム１２０の前面部１２４は、第２フレーム１２０の天面部１２１側から加えられる負荷に対して大きな強度を有するので、上記の境界は、ヒンジ１３０を介して加わえられる負荷に対して高い強度を有することとなる。さらに、本実施形態では、この境界には、折り曲げ加工によって形成された第１フレーム１１０の折り曲げ部１１５も存在する。この折り曲げ部１１５は、第１フレーム１１０の天面部１１１側から加えられる負荷に対して大きな強度を有するので、上記の境界は、ヒンジ１３０を介して加わえられる負荷に対してさらに高い強度を有することとなる。また、本実施形態では、第１フレーム１１０の天面部１１１に設けられた凹部１１１ａや第１フレーム１１０の底面部１１２ａに設けられた凸部１１２ａによって、第１フレーム１１０が強化されており、本実施形態では、この第１フレーム１１０の強化によっても、上記の境界のさらなる強化が図られている。
【００５７】
このように、本実施形態のフレーム１００は、液晶ディスプレイ１２に係る上記のような負荷に対して十分な強度を有する強化された筐体構造となっているので、液晶一体型パーソナルコンピュータ１０における、そのような負荷による撓みの発生等が効果的に回避される。
【００５８】
さらに、本実施形態のフレーム１００では、上述したように、第２フレーム１２０における脚部１２３と上記の第１フレーム１１０における脚部１１４とが互いに面接触している。このため、フレーム１００は、２種類の脚部１２３，１１４で構成された高い強度を有する脚部を備えていることになる。
【００５９】
ここで、液晶一体型パーソナルコンピュータの分野では、近年、液晶ディスプレイの大型化が進んでおり、フレームに加えられる負荷が増加する傾向にある。本実施形態のフレーム１００には、将来、今よりも大型の液晶ディスプレイが搭載されることとなった場合に、上記の境界のさらなる強化を図るための工夫が、この境界に施されている。
【００６０】
図４は、図２に示す第１フレームと第２フレームとの境界を、図中の矢印Ｂの方向から見たときの斜視図である。尚、この図４では、図を見やすくするためにヒンジ１３０の図示が省略されている。
【００６１】
本実施形態では、第２フレーム１２０内に、上記の境界の近傍をこの境界に沿って延びる穴１２５が設けられている。そして、本実施形態では、この穴１２５に、図中に点線で示した追加の強度部材である梁部品１２６を、必要なときに適宜に挿入することができるようになっている。これにより、今よりも大型の液晶ディスプレイが搭載されヒンジ１３０を介して境界に係る負荷が増加する場合に、上記の穴１２５に梁部品１２６を挿入することで境界のさらなる強化を容易に図ることができる。ここで、上記の穴１２５は、上述した筐体構造の応用形態において第２部品が有する穴の一例に相当し、梁部品１２６は、応用形態における梁部品の一例に相当する。
【００６２】
また、本実施形態では、図２に示すフレーム１００に対する、ドライブ１４０の搭載にも工夫が施されている。以下、このドライブ１４０の搭載について説明する。
【００６３】
本実施形態では、ドライブ１４０の搭載は、図２中の矢印Ｃが示すように、フレーム１００の背面側から行われる。
【００６４】
図５は、図２に示すフレームの、ドライブが搭載されている部分の背面を示す斜視図である。
【００６５】
この図５に示すように、ドライブ１４０は、後述する２つの取り付け部品１６０で図中の左右両側から挟まれた状態で、図２にも示す収納部１５０に収納される。取り付け部品１６０には、貫通孔が設けられたフランジ１６１が備えられている。ドライブ１４０が収納部１５０に収納されると、このフランジ１６１が、第２フレーム１２０の背面に設けられている、ネジ穴を有する取付部１２７に当接する。そして、不図示の取付ネジがフランジ１６１の貫通孔を通って取付部１２７のネジ穴に挿入されることで、収納状態のドライブ１４０が第２フレーム１２０に固定される。ここで、取り付け部品１６０は、上述した電子機器の応用形態における取り付け部品の一例に相当する。
【００６６】
以下、取り付け部品１６０の詳細について説明する。
【００６７】
図６は、２つの取り付け部品で左右両側から挟まれたドライブを示す斜視図であり、図７は、取り付け部品を示す斜視図である。
【００６８】
図６に示すように、ドライブ１４０は、互いに同一部品である取り付け部品１６０で挟まれる。ここで、取り付け部品１６０の形状は非対称であるので、ドライブ１４０の一方の側面に接した取り付け部品１６０のフランジ１６１が上側に位置すると、ドライブ１４０のもう一方の側面に接した取り付け部品１６０のフランジ１６１は下側に位置することとなる。そのため、図５に示す第２フレーム１２０の取付部１２７は、このようにドライブ１４０を挟んだ状態での２つの取り付け部品１６０における２つのフランジ１６１の位置に対応するように設けられている。
【００６９】
また、図６では点線で示され、図７では実線で示されているように、取り付け部品１６０における、ドライブ１４０の側面に対向する面からは２本のピン１６２が突出している。ドライブ１４０の左右の側面には、２つの取り付け部品１６０で挟まれたときにこれらのピンが挿入される穴が設けられており、各取り付け部品１６０は、これらの穴への上記のピン１６２の挿入によってドライブ１４０に固定される。
【００７０】
さらに、図６では点線で示され、図７では実線で示されているように、取り付け部品１６０における、ドライブ１４０の側面に対向する面には、弾力性を有するガスケット１６３が２つ貼付されている。このため、ドライブ１４０は、２つの取り付け部品１６０によって、これらのガスケット１６３を介して挟まれることとなる。ここで、ドライブ１４０は、動作時には内蔵モータの回転等によって振動する。本実施形態では、このドライブ１４０の振動が、上記のガスケット１６３によって良好に吸収されることとなるので、液晶一体型パーソナルコンピュータ１０における動作時の騒音が抑制される。
【００７１】
以上、説明したように、本実施形態の液晶一体型パーソナルコンピュータ１０のフレーム１００は、液晶ディスプレイ１２に係る負荷に対して十分な強度を有している。さらに、将来、この液晶ディスプレイ１２よりも大型の液晶ディスプレイが搭載され、フレーム１００に掛かる負荷が増加する場合には、上記の梁部品１２６を取付けるという容易な方法で、フレーム１００のさらなる強化を図ることができる。また、本実施形態の液晶一体型パーソナルコンピュータ１０では、ＣＤやＤＶＤに対してデータの書込みや読出しを行うドライブ１４０のフレーム１００への搭載が、弾力性を有するガスケット１６３を介してこのドライブ１４０を左右から挟む２つの取りつけ部品１６０によって行われる。これによって、ドライブ１４０の動作時の振動が、上記のガスケット１６３によって良好に吸収されるので、液晶一体型パーソナルコンピュータ１０における動作時の騒音が抑制される。
【００７２】
尚、上記では、基本形態や応用形態について上述した電子機器の一実施形態として、液晶一体型パーソナルコンピュータを例示したが、この電子機器はこれに限るものではなく、この電子機器は、例えば、液晶ディスプレイ以外のディスプレイを有するディスプレイ一体型パーソナルコンピュータであっても良く、あるいは、ディスプレイのような重量物が搭載される家電製品のような一般的な電子機器であっても良い。
【００７３】
また、上記では、筐体構造のさらなる強化を図るための方法として、追加の強度部材である梁部品を取付けるという方法を例示したが、このさらなる強化を図るための方法はこれに限るものではなく、例えば、上記の第１フレーム１１０を、折り曲げ部の高さがさらに高い第１フレームとすること等によってさらなる強化を図るという方法等であっても良い。
【００７４】
以下、上述した基本形態および応用形態を含む種々の形態に関し、更に以下の付記を開示する。
【００７５】
（付記１）
天面部を有する第１部品と、
天面部と、前記第１部品に当接する位置で前記天面部から折れ曲がった折れ曲がり部とを有する第２部品と、
前記第１部品の前記位置を含む前記天面部と前記第２部品の前記天面部とに亙って搭載され、前記第２部品上部に所定部品を固定する固定用部品と、
を有することを特徴とする筐体構造。
【００７６】
（付記２）
前記第１部品の前記天面部は、前記天面部の基準面から窪んだ凹部を有する、ことを特徴とする付記１記載の筐体構造。
【００７７】
（付記３）
前記第１部品は、前記天面部に対向する底面部を有し、前記底面部はその基準面から上側に突出した凸部を有する、ことを特徴とする付記１または２記載の筐体構造。
【００７８】
（付記４）
前記第２部品の前記天面部は、長手方向に広がる面を有し、
前記第２部品は、前記長手方向と交差する方向で且つ前記天面部の短手方向に広がる面と、前記第１部品に当接する前記位置に設けられた穴または窪みを有し、
前記第２部品の前記穴または前記窪みを通過して前記天面部の長手方向に延びる前記第２部品に選択的に取り付け可能な梁部品を有する、ことを特徴とする付記１乃至３のいずれか１項に記載の筐体構造。
【００７９】
（付記５）
前記第２部品は、前記第１部品の位置に設けられ、垂下し前記天面部を支える脚部を有し、前記第１部品は、前記第２部品の前記脚部に面接触する脚部を有する、ことを特徴とする付記１乃至４のいずれか１項に記載の筐体構造。
【００８０】
（付記６）
前記第１部品は、前記第２部品の前記折り曲げ部に当接する折り曲げ部を有する、ことを特徴とする付記１乃至５のいずれか１項に記載の筐体構造。
【００８１】
（付記７）
前記第２部品は、前記折れ曲がり部から垂下する面に連結した底面部を有し、
前記第２部品の前記底面部の下部に入力装置を着脱可能に収納する収納部を有する、ことを特徴とする付記１乃至６のいずれか１項に記載の筐体構造。
【００８２】
（付記８）
前記第２部品の前記脚部は、前記第２部品の前記天面部の長手方向の両端部に有する、ことを特徴とする付記５記載の筐体構造。
【００８３】
（付記９）
付記１乃至８のいずれか１項に記載の筐体構造をフレームとし、
前記所定部品は、当該電子機器の主要機能を実現する部品である、ことを特徴とする電子機器。
【００８４】
（付記１０）
振動を生じる機械駆動型電子部品と、
前記機械駆動型電子部品の所定位置にガスケットを介して取り付けられ、前記第２部品が有する収納部に前記機械駆動型電子部品を搭載する取り付け部品と、を有する、ことを特徴とする付記９記載の電子機器。
【００８５】
（付記１１）
前記所定部品は、ディスプレイユニットを含む、ことを特徴とする付記９または１０に記載の電子機器。
【００８６】
（付記１２）
前記第２部品は、所定の開口部を有し、
前記第１部品は、前記第２部品の前記開口部と対向する位置に設けられた開口部を有し、
前記第１部品の前記開口部及び前記第２部品の前記開口部から構成される電子部品用収容部を有する、ことを特徴とする付記９乃至１１のいずれか１項に記載の電子機器。
【図面の簡単な説明】
【００８７】
【図１】電子機器の具体的な実施形態である液晶一体型パーソナルコンピュータを示す外観斜視図である。
【図２】図１に示す液晶一体型パーソナルコンピュータを、この液晶一体型パーソナルコンピュータから液晶ディスプレイおよび外板を取り去りフレームが見える状態で示す図である。
【図３】第１フレームを示す外観斜視図である。
【図４】図２に示す第１フレームと第２フレームとの境界を、図中の矢印Ｂの方向から見たときの斜視図である。
【図５】図２に示すフレームの、ドライブが搭載されている部分の背面を示す斜視図である。
【図６】２つの取り付け部品で左右両側から挟まれたドライブを示す斜視図である。
【図７】取り付け部品を示す斜視図である。
【図８】液晶一体型パーソナルコンピュータの一例を示す外観斜視図である。
【図９】液晶ディスプレイが回動される際に、その液晶ディスプレイが本体部に押し付けられる様子を示す図である。
【符号の説明】
【００８８】
１０，２０    液晶一体型パーソナルコンピュータ
１１，２１    本体部
１２，２２    液晶ディスプレイ
１３，２３    キーボード
１４，２４    ドライブ用蓋
１００    フレーム
１１０    第１フレーム
１１１    天面部
１１１ａ    凹部
１１２    底面部
１１２ａ    凸部
１１３    前面部
１１３ａ    開口
１１４    脚部
１１５    折り曲げ部
１２０    第２フレーム
１２１    天面部
１２２    側面部
１２３    脚部
１２４    前面部
１２４ａ    開口
１２５    穴
１２６    梁部品
１２７    取付部
１３０    ヒンジ
１３１    ベース部
１３２    アーム部
１３３    回転軸
１４０    ドライブ
１５０    収納部
１６０    取り付け部品
１６１    フランジ
１６２    ピン
１６３    ガスケット
【図１】
2009146195.tif 000003
【図２】
2009146195.tif 000004
【図３】
2009146195.tif 000005
【図４】
2009146195.tif 000006
【図５】
2009146195.tif 000007
【図６】
2009146195.tif 000008
【図７】
2009146195.tif 000009
【図８】
2009146195.tif 000010
【図９】
2009146195.tif 000011